(57)【要約】【課題】リンクチェーンの変形部分を目視観察に頼らずに簡単かつ正確に検出できる検査装置を提供する。【解決手段】リンクチェーンの横断面に対応した十字溝を有し、該十字溝にリンクチェーンを挿入できるように十字溝の少なくとも何れかの端部が開閉自在であり、挿入したリンクチェーンを該十字溝に沿って挿通することによってリンクチェーンの変形を検査することを特徴とするリンクチェーンの検査装置。【選択図】　図４
2004020453.tif 000002
【特許請求の範囲】
【請求項１】
リンクチェーンの断面形状に対応した十字溝を有する溝形成体を備え、
この溝形成体は、溝にリンクチェーンを挿入できるように溝の少なくとも何れかの端部を解放自在としてあり、
上記端部から挿入されたリンクチェーンを上記十字溝に沿って挿通することによってリンクチェーンの変形を検査する、
ことを特徴とするリンクチェーンの検査装置。
【請求項２】
互いに共働して十字溝を形成する下部溝形成体と上部溝形成体とを有し、
下部溝形成体には、その上面に、前端から後端にかけてＴ形断面の溝が貫通形成されており、
上部溝形成体は、互いの内側端部が所定の間隙を保つように下部溝形成体のＴ形断面溝の解放された上面に沿って摺動自在に装着された左右一対の溝形成体から成り、
左右一対の上部溝形成体を、下部溝形成体の上記Ｔ形断面溝に被せて固定することによって、リンクチェーンを挿通させる十字溝を形成し、
リンクチェーンをこの十字溝に沿って挿通することによってリンクチェーンの変形を検査する、
ことを特徴とするリンクチェーンの検査装置。
【請求項３】
下部溝形成体は、Ｔ形断面溝を囲む部分が着脱自在に形成され、
この部分を取り替えることによってＴ形断面溝の溝幅が調整可能である、
請求項２記載の検査装置。
【請求項４】
上枠と下枠に分割可能な固定フレームを有し、
上枠と下枠はそれぞれ相対向する凹部を有し、
この凹部には一対の内ブロックが相互に間隔を保って固定され、
内ブロック相互の間隔によって十字溝が形成され、
リンクチェーンをこの十字溝に沿って挿通することによってリンクチェーンの変形を検査する、
ことを特徴とするリンクチェーンの検査装置。
【請求項５】
前記内ブロックが着脱自在に形成され、この内ブロックを取り替えることによって十字溝の溝幅が調整可能である
請求項４記載の検査装置。
【発明の詳細な説明】
【０００１】
【発明の属する技術分野】
本発明は、リンクチェーンの湾曲や捻れなどの変形を簡単かつ正確に検査する検査装置に関するものである。
【０００２】
【従来の技術】
土木建築現場や港湾作業の現場、あるいは運送作業などにおいて、チェーンが広く用いられている。例えば、建築現場の吊り足場用の吊りチェーンには一般にリンクチェーンが用いられている。リンクチェーンは、図８に示すように、細長い鉄製リングを相互に係合して鎖にしたものであり、例えば、一つの横向きのリングに対して隣り合うリングが縦向きに係合しており、従ってチェーン全体の断面は長手方向に沿って縦方向の断面と横方向の断面が交互に現れる結果、全体として十字状の断面を有している。
【０００３】
このリンクチェーンが変形すると、所定の強度を損ない、作業の安全を保てなくなる。このため、安全規則などにおいてチェーンの変形を検査することが義務づけられている。
従来、チェーンの変形は、主に目視観察に頼っており、このため作業員による誤差が避けられず、しかも長尺のチェーンについて個々のリンクの変形を観察しなければならないために見落としが多く、時間のかかるわりに信頼性が低いという問題がある。
【０００４】
【発明が解決しようとする課題】
本発明は、リンクチェーンの変形検査について、従来の目視観察による問題を解決したものである。本発明の目的は、簡単な機械的操作によって、長尺のチェーン全体に亘ってその変形を正確かつ容易に検査することができる検査装置を提供することにある。
【０００５】
【課題を解決する手段】
本発明は、上記した目的を達成するために次の構成を備える。
すなわち、本発明に係るチェーン検査装置の基本構成は、リンクチェーンの断面に対応した十字形断面の溝（十字溝と云う）形成体を有し、この十字溝にリンクチェーンを挿入できるように十字溝の少なくとも何れかの端部を解放自在とし、挿入したリンクチェーンを十字溝に沿って挿通することによってリンクチェーンの変形を検査する、ものである。
【０００６】
上記検査装置において、リンクチェーンが十字溝を挿通する際、十字溝の断面形状は正常な部分の断面形状に対応しているので正常な部分は十字溝を通過するが、変形部分は十字溝からはみ出す部分が周囲の壁に突き当たって十字溝を通過することができず、簡単にチェーンの変形部分を検出することができる。
【０００７】
十字溝形成体は、ブロック、面状体、フレーム板、あるいはこれらを組み合わせたものによって形成することができ、単一体あるいは複数の分割体によって構成するようにしても良い。
具体的な第一の構成例では、互いに共働して十字溝を形成する下部溝形成体と上部溝形成体とを有する。下部溝形成体には、その上面に、前端から後端にかけてＴ形断面の溝が貫通形成されている。上部溝形成体は、互いの内側端部が所定の間隙を保つように下部溝形成体のＴ形断面溝の解放された上面に沿って摺動自在に装着された左右一対の溝形成体から成る。左右一対の上部溝形成体を、下部溝形成体の上記Ｔ形断面溝に被せて固定することによって、リンクチェーンを挿通させる十字溝が形成される。そして、リンクチェーンをこの十字溝に沿って挿通することによってリンクチェーンの変形を検査する、ものである。
【０００８】
上部及び下部溝形成体は、左右の上部溝形成体を開閉することによってリンクチェーンの着脱を迅速かつ容易に行うことができる。チェーンが変形している場合、変形部分が上部溝形成体あるいは下部溝形成体の溝内壁に突き当たるので十字溝を通過することができず、簡単に変形部分を検出することができる。また、上記下部溝形成体のＴ形断面溝を囲む部分を着脱自在に形成し、この部分を取り替えることによってＴ型断面溝の溝幅及びこれに伴って左右の上部溝形成体の内側端の対向間隙幅を変えれば、リンクの線径や直径の異なるチェーンに対しても本検査装置を適用することができる。
【０００９】
本発明装置の具体的な第二構成例は、上枠と下枠に分割可能な固定フレームを有する。上枠と下枠はそれぞれ相対向する凹部を有し、この凹部に一対の内ブロックが相互に間隔を保って固定されている。内ブロック相互の間隔によって十字溝が形成される。そして、リンクチェーンをこの十字溝に沿って挿通することによってリンクチェーンの変形を検査する、ものである。
【００１０】
分割可能な固定フレームと内ブロックからなる上記検査装置は、固定フレームの開閉によってリンクチェーンの着脱を迅速かつ容易に行うことができる。さらに、チェーンが変形していると、この変形部分が内ブロックに突き当たるので、簡単にチェーンの変形部分を検出することができる。また、この検査装置は構造が簡単であるので軽量化でき、作業台などに取り付けて使用する他に携帯用として用いることができ、チェーンに装着した検査装置をチェーンに沿って動かすことによって容易に変形部分を検出することができる。さらに、内ブロックを着脱自在に形成し、この内ブロックを取り替えることによって十字溝の溝幅を調整すれば、第一の構成例と同様に、リンクの線径や直径の異なるチェーンに対しても本検査装置を適用することができる。
【００１１】
【発明の実施の形態】
以下、本発明の検査装置について、図面を参照して具体的に説明する。
図１〜図５に示す構成は、下部溝形成体を成す台座と、上部溝形成体を成す摺動自在な固定ブロックからなる検査装置の例である。
図に示すように、本検査装置１０は、台座１１と該台座１１の上面に設けた一対の固定ブロック１２、１３を有する。台座１１の上面には、溝１４が長手方向に設けられている。この溝１４は、水平とこれに下方に直交するＴ字形断面を有している。上部の溝高と下部の溝幅はリンクチェーンの太さに対応しており、正常な形状のチェーンが挿通する大きさに形成されている。なお、図中符号１４ａはＴ型断面溝１４の水平溝部、１４ｂは下垂直溝部１４ｂを示す。
【００１２】
台座上面の固定ブロック１２、１３は、上記Ｔ形断面溝１４を間にして相対向して設けられている。これらの固定ブロック１２、１３には、上面に長孔１５が穿設されており、この長孔１５を通じてボルト１６が台座１１にネジ止めされている。ボルト１６を緩めることによって、固定ブロック１２、１３は、長孔１５に沿って摺動することができる。この固定ブロック１２、１３の摺動を案内するガイド板１７が、固定ブロック１２、１３の側端から台座の側端に突き出して取り付けられている。
【００１３】
図１に示すように、ボルト１６を緩め、固定ブロック１２、１３を互いに外側に向かって摺動すると、台座１１の上面が開放されてＴ形断面溝１４の水平溝部１４ａが解放された状態になる。一方、図２に示すように、固定ブロック１２、１３を互いに内側に向かって摺動し、固定ブロック１２、１３の内側端部をＴ形断面溝１４に被せ、この溝幅と同様の間隔を保って固定することによって、水平溝部１４ｂが閉じられると共に下垂直溝部１４ｂと上方に連通する上垂直溝部１２ａが形成され、全体として十字状の溝が形成される。
【００１４】
使用状態を説明する。
図３に示すように、固定ブロック１２、１３を外側に摺動してＴ形断面溝１４を開き、長手方向に沿ってリンクチェーン２０をＴ形断面溝１４に挿入する。
チェーン２０の図中横向きのリンク２１は、Ｔ形断面溝１４の水平溝部１４ａに支えられて水平に位置する一方、縦向きのリンク２２は下垂直溝部１４ｂに差し込まれた状態になる。この状態で固定ブロック１２、１３を内側に摺動してブロック内側端部をＴ形断面溝１４の上端に被せ、間隔を保って固定して十字溝を形成すると、図４に示すように、チェーン２０は十字溝に挟まれた状態になる。
【００１５】
この状態でチェーン２０を十字溝に沿って挿通すると、正常な部分は十字溝を通過するが、チェーンが変形している場合、変形部分が台座や固定ブロックに突き当たるので十字溝を通過することができず、簡単に変形部分を検出することができる。
十字溝は、上端が解放されているので、リンクチェーン、殊に建築現場用の吊りチェーンのように、端部にフック部を有するものについても、支障なく挿通させることができる。
【００１６】
また、上記検査装置において、台座１１のＴ形断面溝１４を囲む部分１８を着脱自在に形成すれば、この部分１８を取り替えることによって溝幅を調整することができ、リンクの線径（太さ）や直径（大きさ）の異なるチェーンに対しても本検査装置を適用することができる。
【００１７】
図６、図７に示す構成は、分割可能な固定フレームと内ブロックを有する装置例である。
図に見られるように、本検査装置は、上枠３１と下枠３２に分割可能な固定フレーム３０を有し、上枠３１と下枠３２には、それぞれ相対向する凹部が形成されている。これらの凹部には一対の内ブロック３３〜３６が相互に間隔を保って上枠３１または下枠３２に固定されている。
【００１８】
上枠３１および下枠３２には、外側に張り出したフランジ部３７、３８が設けられており、このフランジ部３７、３８に連結用のネジ孔３９、４０が穿設されている。
図７に示すように、上記ネジ孔３９、４０にボルト４１を挿通して上枠３１と下枠３２を一体に連結し、固定フレーム３０を形成すると、固定フレーム３０の内側には内ブロック相互の間隔によって十字溝が形成される。この十字溝の幅はチェーンの太さに対応し、正常な形状のチェーンが挿通する大きさに形成される。なお、内ブロック３３〜３６をネジ止め等の方法によって着脱自在に固定すれば、大きさの異なる内ブロックに交換することによって溝幅を調整することができる。
【００１９】
固定フレーム３０を開いた状態で内ブロック相互の隙間にチェーンを挿入し、次いで上枠３１と下枠３２を一体に連結し、十字溝にチェーンを挟み込む。この状態でチェーンを十字溝に挿通すると、正常な部分は十字溝を通過するが、チェーンが変形していると、変形部分が台座や固定ブロックに突き当たるので十字溝を通過することができず、簡単に変形部分を検出することができる。また、内ブロックを取り替えて溝幅を調整すれば、リンクの線径や直径の異なるチェーンに対しても本検査装置を適用することができる。
【００２０】
【発明の効果】
本発明の検査装置によれば、次の効果を奏する。
本装置は、予め所定の溝幅に設定された十字溝を有するので、この十字溝にリンクチェーンを挿通するだけで、チェーンの変形部分を簡単にかつ正確に検出することができる。
また、本検査装置は、目視観察に頼らず、簡単な操作によって機械的に変形部分を検出するので、作業員による誤差や見落としなどの問題が無く、検査の信頼性が高い。しかも簡単化装置構成であるので実用性に優れる。
【図面の簡単な説明】
【図１】本発明に係る検査装置の上部を開いた状態を示す斜視図。
【図２】図１の検査装置の上部を閉じた状態を示す斜視図。
【図３】図１の検査装置にチェーンを挿入した状態を示す斜視図。
【図４】図３の検査装置の上部を閉じて固定した状態を示す斜視図。
【図５】図１の検査装置について、溝部分の他の構造を示す斜視図。
【図６】本発明に係る他の検査装置の組立状態を示す斜視図。
【図７】図６の検査装置を閉じて固定した状態を示す斜視図。
【図８】リンクチェーンの部分外観図。
【符号の説明】
１０−検査装置、
１１−台座、
１２、１３−固定ブロック、
１４−Ｔ形断面溝、
１５−長孔、
１６−ボルト、
１７−ガイド板、
１８−交換部分、
２０−リンクチェーン、
２１−横向きリンク、
２２−縦向きリンク、
３０−固定フレーム、
３１−上枠、３２−下枠、
３３〜３６−内ブロック、
３７、３８−フランジ部、
３９、４０−ネジ孔、
４１−連結ボルト。
【図１】
2004020453.tif 000003
【図２】
2004020453.tif 000004
【図３】
2004020453.tif 000005
【図４】
2004020453.tif 000006
【図５】
2004020453.tif 000007
【図６】
2004020453.tif 000008
【図７】
2004020453.tif 000009
【図８】
2004020453.tif 000010